(57)【要約】【課題】  複数のネットワークとの電話通信機能を有する装置（１００）は、ユーザが簡便に電話をすることを可能にする。【解決手段】    例示的実施形態によれば、装置（１００）は、市外局番を含む第１の電話番号を保存するためのメモリ（１６）、および保存された第１の電話番号にダイヤルするために信号を受信し、かつ第１のネットワークか第２のネットワークのいずれが選ばれたかを特定するプロセッサ（１４）を有する。第１のネットワークが選ばれた場合、プロセッサ（１４）は保存された第１の電話ダイヤル番号をダイヤルする。第２のネットワークが選ばれた場合、プロセッサ（１４）は、ユーザに対して、保存された第１の電話番号、および、少なくとも市外局番を削除することによって保存された第１の電話番号から導かれる第２の電話番号のいずれかを選ぶようにさせる。プロセッサ（１４）は、また保存された第１の電話番号、および第２の電話番号の選択された一つをダイヤルする。
2010516083.tif 000002
【特許請求の範囲】
【請求項１】
第１および第２のネットワークで動作する装置を介して電話を発信する方法であって：
第１の番号を保存するステップ；
前記保存された第１の番号によって電話を発信するために信号を受信するステップ；
前記第１のネットワークまたは前記第２のネットワークのいずれが選ばれたかを特定するステップ；
前記第１のネットワークが選ばれた場合、前記保存された第１の番号を送信するステップ；
前記第２のネットワークが選ばれた場合、ユーザに対して、前記保存された第１の番号と、前記保存された第１の番号から導かれた第２の番号とのいずれかを選ばせるステップ；および
前記保存された第１の番号、および前記第２の番号のうち選択された一つを送信するステップ；
を有する方法。
【請求項２】
前記第１のネットワークは、インターネットベースの電話網である、請求項１記載の方法。
【請求項３】
前記第２のネットワークは、一般加入電話網である、請求項１記載の方法。
【請求項４】
前記第１のネットワークまたは前記第２のネットワークのいずれが選ばれたかを特定するステップは、前記受信するステップの前になされる、請求項１記載の方法。
【請求項５】
前記第１のネットワークまたは前記第２のネットワークのいずれが選ばれたかを特定するステップは、前記ユーザによって、前記第１および第２のネットワークのうちの１つで前記装置を介してなされる全ての電話の発信を扱うよう選ばれる前記装置のためのセットアッププロセスの間になされる、請求項４記載の方法。
【請求項６】
前記第１のネットワークまたは前記第２のネットワークの前記選択は、前記受信するステップの後でなされる、請求項１記載の方法。
【請求項７】
前記第１のネットワークまたは前記第２のネットワークの前記選択は、それぞれの電話の発信ごとに、前記ユーザによってなされる、請求項６記載の方法。
【請求項８】
前記第１の番号は、電話の発信に含まなければならない第１部分と、少なくとも１つのコードを含む第２部分とを有し、前記第２の番号は、前記第２部分の少なくとも１つのコードの部分の１つを削除することによって第１の番号から導き出される、請求項１記載の方法。
【請求項９】
前記第２の番号は、前記第１の番号に少なくとも１つの桁を付加することによって、前記第１の番号から導き出される、請求項１記載の方法。
【請求項１０】
第１および第２のネットワークと通信機能を有する装置であって：
第１の番号を保存するためのデータ記憶手段；
保存された第１の番号によって電話を発信するために信号を受信するための、および前記第１のネットワークまたは前記第２のネットワークのいずれが選ばれたかを特定するための処理手段、を有する装置であって、
前記第１のネットワークが選ばれた場合、前記処理手段は前記保存された第１の番号を送信させ；
前記第２のネットワークが選ばれた場合、前記処理手段は、ユーザに対して、保存された第１の番号、および前記第１の番号から導かれる第２の番号のいずれかを選ばせ；かつ
前記処理手段は、前記保存された第１の番号、および前記第２の番号の選択された一つを送信させる、装置。
【請求項１１】
前記第１のネットワークは、インターネットベースの電話網である、請求項１０記載の装置。
【請求項１２】
前記第２のネットワークは、一般加入電話網である、請求項１０記載の装置。
【請求項１３】
前記処理手段が、前記保存された第１の番号にダイヤルするために前記信号を受信する前に、前記第１のネットワークまたは前記第２のネットワークの前記選択がなされる、請求項１０記載の装置。
【請求項１４】
前記第１のネットワークまたは前記第２のネットワークの前記選択は、前記ユーザによって前記第１および第２のネットワークのうちの１つで前記装置を介してなされる全ての電話の発信を扱うよう選ばれる前記装置のためのセットアッププロセスの間になされる、請求項１３記載の装置。
【請求項１５】
前記第１のネットワークまたは前記第２のネットワークの前記選択は、前記処理手段が、前記保存された第１の番号をダイヤルするために前記信号を受信したあとになされる、請求項１０記載の装置。
【請求項１６】
前記第１のネットワークまたは前記第２のネットワークの前記選択は、それぞれの電話の発信ごとに、前記ユーザによってなされる、請求項１５記載の装置。
【請求項１７】
前記第１の番号は、電話の発信に含まなければならない第１部分と、少なくとも１つのコードを含む第２部分とを有し、前記第２の番号は、前記第２部分の少なくとも１つのコードの部分の１つを削除することによって第１の番号から導き出される、請求項１０記載の装置。
【請求項１８】
前記第２の番号は、前記第１の番号に少なくとも一つの桁を付加することによって、前記第１の番号から導かれる、請求項１０記載の装置。
【請求項１９】
第１および第２のネットワークと通信機能を有する装置であって：
第１の番号を保存するために動作するメモリ；
前記保存された第１の番号によって電話を発信するために信号を受信し、かつ前記第１のネットワークか前記第２のネットワークのいずれが選ばれたかを特定するプロセッサ、を有する装置であって、
前記第１のネットワークが選ばれた場合、前記プロセッサは、前記保存された第１の番号を送信させ；かつ
前記第２のネットワークが選ばれた場合、前記プロセッサは、ユーザに対して、前記保存された第１の番号、および前記保存された第１の番号から導かれる第２の番号のうちのいずれかを選ばせ；かつ
前記プロセッサは、保存された第１の番号、および前記第２の番号の選択された一つを送信させる；
装置。
【請求項２０】
前記第１のネットワークは、インターネットベースの電話網である、請求項１９記載の装置。
【請求項２１】
前記第２のネットワークは、一般加入電話網である、請求項１９記載の装置。
【請求項２２】
前記第１のネットワークまたは前記第２のネットワークの前記選択は、前記プロセッサが前記保存された第１の番号にダイヤルするために、前記信号を受信する前になされる、請求項１９記載の装置。
【請求項２３】
前記第１のネットワークまたは前記第２のネットワークの前記選択は、前記第１および第２のネットワークのうちの１つを全ての発信電話に前記装置を介して行うことを前記ユーザが選択する装置セットアッププロセスの間になされる、請求項２２記載の装置。
【請求項２４】
前記第１のネットワークまたは前記第２のネットワークの前記選択は、前記プロセッサが前記保存された第１の番号にダイヤルするために、前記信号の受信の後でなされる、請求項１９記載の装置。
【請求項２５】
前記第１のネットワークまたは前記第２のネットワークの前記選択は、それぞれの電話の発信ごとに、前記ユーザによってなされる、請求項２４記載の装置。
【請求項２６】
前記第１の番号は、電話の発信に含まなければならない第１部分と、少なくとも１つのコードを含む第２部分とを有し、前記第２の番号は、前記第２部分の少なくとも１つのコードの部分の１つを削除することによって第１の番号から導き出される、請求項１９記載の装置。
【請求項２７】
前記第２の番号は、前記第１の番号の少なくとも１つの桁を付加することによって、前記第１の番号から導き出される、請求項１９記載の装置。
【発明の詳細な説明】
【技術分野】
【０００１】
本発明は、一般に複数のネットワークに対して電話通信機能を有する装置に関する。
より詳細には、ユーザに、簡便な方式で、この装置を用いて電話を発信することを可能とする方法に関する。
【背景技術】
【０００２】
［関連出願の説明］
本出願は、出願日２００７年１月８日に米国特許商標庁に出願した出願番号６０／８７９，２９１の仮出願によって生じる全ての利益に係る優先権を主張した２００７年６月２５日に出願のＰＣＴ出願第ＰＣＴ／ＵＳ２００７／１４８８９号から生じる優先権を主張する。
【発明の概要】
【発明が解決しようとする課題】
【０００３】
特定の電話装置は、複数のネットワークによって動作することができる。例えば、一部の電話装置は、Ｓｋｙｐｅ（登録商標）ネットワークのようなインターネットベースの電話網によって動作することができ、更にネットワーク（例えば従来の一般加入電話網（ＰＳＴＮ））によっても動作する。通常、複数のネットワークを介して通信する機能は有利であるが、別のネットワークが別のダイヤル呼出しフォーマットを使用することが可能である点で、問題がある。
【０００４】
例えば、米国のＰＳＴＮのような特定のネットワークは、通常、１０桁フォーマットを使用した発信者識別レコードを提供する（例えば３１７−５５５−１２１２）。したがって、この種のネットワークにおいては、受信した電話の発信者識別レコードが受け取られて、かつこの１０桁フォーマットで電話装置に保存される。これらの保存された電話番号のうちの１つにダイヤルするときに、それらが送る国の地域、および、ダイヤルされている電話番号の目的地によっては、ユーザは保存された受信記録の番号から番号を消去する追加的操作を必要とする。特定の従来の電話装置は、ユーザが電話番号を７、１０または１１桁の電話番号に変えることができるように、「フォーマット」キーまたはオプションを有するものがある。加えて、受信する電話の電話番号が７桁ローカル電話番号として保存されるため、一部の電話装置では、ユーザがローカル市外局番を入力することを許容する。それによって、ユーザが電話番号をフォーマット化しなくてもよいようにしている。しかしながら、これらの従来の方式は、例えばインターネットベースの電話網（例えばＳｋｙｐｅ（登録商標））および、従来のＰＳＴＮネットワークのような複数のネットワークを介して、保存された電話番号にダイヤルできる製品を意図していない。
【課題を解決するための手段】
【０００５】
したがって、前述の課題に対処し、かつ、これによって、複数のネットワークによって動作する電話装置を用いて、より単純な方式でユーザが電話することを可能とする方法を提供する必要がある。本発明は、これらおよび／または他の問題に対処する。本発明の態様にしたがって、第１および第２のネットワークにおいて動作可能な装置を介して電話をするための方法が開示される。例示的実施形態によれば、本方法は、第１の番号を保存するステップ；保存された第１の番号の電話を発信するために信号を受信するステップ；第１のネットワークまたは第２のネットワークが選ばれたか否かを特定するステップ；第１のネットワークが選ばれた場合、保存された第１の番号を送信するステップ；第２のネットワークが選ばれた場合、前記保存された第１の番号、および、前記保存された第１の番号から導き出された第２の番号のいずれかをユーザに選ばせるステップ；および、前記保存された第１の番号、および、前記第２の番号のうち、選択された一つを送信するステップ、を有する。
【０００６】
本発明の他の態様では、第１および第２のネットワークと通信できる装置が開示されている。例示的実施形態において、装置は、第１の番号を保存するデータ記憶手段（例えばメモリ）、保存された第１の番号を用いて電話接続を行うために信号を受信するための処理手段（例えばマイクロプロセッサ）、および第１のネットワークまたは第２のネットワークが選ばれるかどうかを特定する手段を有する。第１のネットワークが選ばれた場合、処理手段は保存された第１の番号が送信されるようにする。第２のネットワークが選ばれた場合、処理手段は、ユーザに対して、前記保存された第１の番号と、前記第１の番号から得られた第２の番号とのいずれかを選ぶことができるようにする。処理手段は、保存された第１の番号、および第２の番号のうち選択された一つが送信されるようにする。
【０００７】
本発明の上述の特徴および効果、並びにその他の特徴および効果、およびこれを達成する方式にかかる本発明は、以下の添付の図面とともに説明する本発明の実施例を参照することで、よりよく明らかとなり、理解される。
【０００８】
本願明細書において提示される実例は本発明の好ましい実施例を例示する。この種の実例は、いかなる観点からも発明の範囲を制限するように解釈されてはならない。
【図面の簡単な説明】
【０００９】
【図１】本発明の例示的実施形態による電話装置の関連部分のブロック図である。
【図２】本発明の例示的実施形態に従って電話をするためのステップを例示したフローチャートである。
【図３】本発明のユーザが例示的実施形態に従って電話をすることを可能とするためのユーザインタフェースを示す図である。
【図４】本発明のユーザが例示的実施形態に従って電話をすることを可能とするためのユーザインタフェースを示す図である。
【図５】本発明のユーザが例示的実施形態に従って電話をすることを可能とするためのユーザインタフェースを示す図である。
【発明を実施するための形態】
【００１０】
図面をここで参照する。特に図１に、本発明の例示的実施形態による電話装置１００の関連部分のブロック図が示されている。図１に示すように、電話装置１００は、ユーザ入力手段としてユーザ入力ターミナル１０、入出力（Ｉ／Ｏ）手段としてＩ／Ｏブロック１２、処理手段として例えばプロセッサ１４、データ記憶手段として例えばメモリ１６、視覚のＩ／Ｏ手段として表示装置１８、および、聴覚Ｉ／Ｏ手段として例えば音声トランシーバ２０を有する。電話装置１００のいくつかの前述の要素は、一つ以上の集積回路（ＩＣ）を使用してインプリメントされてもよい。説明を明瞭にするために、特定の制御信号、電力信号および／または他の要素のような電話装置１００に関連づけられた特定の従来の要素は、図１に示されてはいない。例示的実施形態によれば、図１の電話装置１００は、電話通信機能を有するデバイス、システムおよび／または装置の任意のタイプにインプリメントされてもよい。加えて、他の機能、例えばオーディオおよび／またはビデオプロセシング機能を有するデバイス、システムおよび／または装置に組み込まれてもよい。
【実施例】
【００１１】
ユーザ入力ターミナル１０は、ユーザからの入力を受信し、ユーザ入力に対応する出力信号をプロセッサ１４に出力する。例示的実施形態によれば、ユーザ入力ターミナル１０は、番号、および、アルファベットの入力機能を可能にする複数のキーを有するキーパッドとしてインプリメントされてもよい。ユーザ入力ターミナル１０は、また、音声入力機能を含んでもよい。ユーザ入力ターミナル１０は、使用中、例えば、発光ダイオード（ＬＥＤ）および／または他の証明手段を使用して、照らされてもよい。
【００１２】
Ｉ／Ｏブロック１２は、電話装置１００のＩ／Ｏ機能を実行するために動作する。例示的実施形態によって、Ｉ／Ｏブロック１２は、他のデバイス、様々な他のネットワークにおけるシステムおよび／または装置に信号を送信し、これらの装置から信号を受信する。これらの例としては、例えば、Ｓｋｙｐｅ（登録商標）のようなインターネットベースの電話ネットワーク、または他のネットワーク、およびＰＳＴＮが含まれる。Ｉ／Ｏブロック１２には、一つ以上のアンテナ素子、プラグ、その他の方式のＩ／Ｏエレメントが含まれる。
【００１３】
プロセッサ１４は、電話装置１００のさまざまな信号処理、および、制御機能を実行するために動作する。例示的実施形態によれば、プロセッサ１４は、ユーザが本発明の原理に従って簡略方式によって電話を発信することができるソフトウェアコードを実行するよう動作する。この例示的実施形態によれば、プロセッサ１４は、ユーザ入力ターミナル１０を介してなされるユーザ入力の検出、メモリ１６に対するデータの読み込み書き込み、電話の発信および電話の受信を含む電話の通信処理機能、表示装置１８を介するユーザインタフェースの表示、および／または他の機能を含む電話装置１００の機能を実行するために動作する。
【００１４】
本願明細書で使用する「ダイヤル呼出し」という語は、ネットワークのサーバに電話番号を表す信号を送ることを意味する。これによって、サーバは、送信された電話番号によって特定された電話を、電話装置１００にネットワークを介して接続することができる。
【００１５】
メモリ１６は、電話装置１００のデータ記憶機能を実行するために動作する。例示的実施形態によれば、メモリ１６は、実行可能ソフトウェアコード、スクリーン上の表示データ、以前にダイヤルされた電話番号、および、着信の電話番号、ユーザ準備データおよび／または他のデータを含むデータを保存する。表示装置１８は、プロセッサ１４の制御によって表示を行うために動作する。
【００１６】
例示的実施形態によれば、表示装置１８は、ユーザが本発明の原理に従って簡略化された方式で電話を発信することができるユーザインタフェースの表示を行う。表示装置１８は、また、タッチスクリーンによりインプリメントされてもよい。この場合、表示装置１８は、ユーザ入力ターミナル１０の一つ以上のキーに対応するタッチ・アイコンを含んでもよい。音声トランシーバ２０は、電話の間、プロセッサ１４との間で音声データを送受信するために動作する。
【００１７】
図２をここで参照すると、本発明の例示的実施形態に従って電話をするためのステップのフローチャート２００が示されている。実施例、および、説明のために、図２のステップは、図１の電話装置１００、および、図３ないし５に示される例示的なユーザインタフェースを参照して後述する。図２のステップは、例示することのみを目的としており、いかなる観点からも、本発明を制限するものではない。
【００１８】
ステップ２１０で、電話装置１００は、複数の電話番号を保存する。電話番号は、第１および第２部分を含む。第１部分は、第１および第２のネットワークのいずれが選ばれたとしても使用されるのに対して、第２部分は電話を発信する場合に必ずしも使われるわけではない。第１のネットワーク、例えばインターネットベースの電話網が選ばれた場合、第２部分の全てが電話を発信する場合に使われなければならない。第２のネットワーク（例えばＰＳＴＮ）が選ばれた場合、第２部分の一部または全てが必要でなくてもよい。
【００１９】
第１部分は、国別の名前の下にあってもよい。例えば、これは、多くの国のサブスクライバコードまたはローカルコードと呼ばれている。第１部分の桁数は、国ごとに異なってもよい。例えば、米国では、第１部分は７桁である。一部の国においては、第１部分の桁数は、固定されていなくてもよい。例えば、これは、５桁から８桁まで変化してもよい。第２部分は、保存された電話番号を形成するために、通常第１部分の前に付加（ｐｒｅｐｅｎｄ）される。第２部分は、市外局番、国別コード、および、アクセスコード（例えばキャリア、および、スイッチ選択コード）を含む。通常、まず市外局番が前に付される。そのあとに国別コードおよび、アクセスコードが続く。過去において、市外局番は、地理的領域に割り当てられていたが、現在は、そうではない。例えば、一部の市外局番は、携帯電話使用、および、他の特殊目的（例えば無料の電話）に割り当てられてもよい。このように、本願明細書において使われるように、市外局番は地理的なものでもよく、または、地理的なものでなくてよい。加えて、別の名前で呼ばれてもよい。国別コードは、国を特定するために用いる。アクセスコードは、市外局番、および第１部分に付加されてもよい。あるいは国別コード、市外局番、および第１部分に付加されてもよい。アクセスコードは、呼のタイプを特定するために用いてもよい。例えば、米国において、１をダイヤルすることは呼が長距離電話であることを示してもよい。そして、０１１をダイヤルすることは電話の発信が国際電話であることを示してもよい。アクセスコードは、同様に一部の国においては、別のキャリアを選ぶために用いてもよい。この例では、保存された電話番号は第１部分、および、市外局番だけを含む。なお、この例は、単に例示的なものに過ぎない。保存された番号は、また、上述したように国別コードおよび／またはアクセスコードを含んでもよい。
【００２０】
例示的実施形態によれば、ステップ２１０で、メモリ１６は電話装置１００の全ての、発信の電話、および受信の電話の電話番号を保存する。そして、この種の電話番号には、関連づけられた市外局番を含まれる。ステップ２１０において、メモリ１６は、他のデバイス、システムおよび／または装置からＩ／Ｏブロック１２を介して、関連づけられた市外局番を含む電話番号を、電話装置１００にダウンロードし保存してもよい。例示的実施形態によれば、電話装置１００において、発信の電話、および受信の電話の電話番号は、同様にサーバ（図示せず）に保存されてもよい。このサーバは、電話装置１００が動作するネットワークに関連するものである。例えば、発信の電話、および受信の電話の電話番号は、インターネットベースの電話網に関連づけられたサーバに保存されてもよい。例えばＳｋｙｐｅ（登録商標）および／または他のネットワークに関連づけられたサーバがこれに該当する。
【００２１】
ステップ２２０で、ユーザは、電話装置１００を介して電話の発信を始める。例示的実施形態によれば、ユーザは、以下によってステップ２２０で電話の発信を始めてもよい。すなわち、ステップ２１０において、保存された電話番号の表示されたリストによるスクロールするステップ、および、電話番号の所望の一つを選ぶステップ、である。図３はこの種の電話番号の例示的なリストを示す。そして、関係者の名前を含む。これらは参照番号３２、３４、および、３６によって表されている。表示装置１８に同時に表示される個々の電話番号の数は、設計的な事項である。例を示すため、および説明のために、図３の例示的なリストは、同時に３つの電話番号を示す。ユーザは、ユーザ入力ターミナル１０（または、タッチスクリーンがインプリメントされている場合には表示装置１８）の予め定められたキー（例えばアップ／ダウンキー、その他）を押すことによって、保存された電話番号のリストをスクロールしてもよい。一旦所望の電話番号がスクロール方法によって強調されると、ユーザは、ユーザ入力ターミナル１０（または、タッチスクリーンがインプリメントされている場合には表示装置１８）の一つ以上の予め定められたキー例えば（例えば、選択、ダイヤル、その他）を押し、これを選択し、強調された電話番号のダイヤルを開始させてもよい。図３において、例えば、ユーザは、ステップ２２０でダイヤル呼出しのための電話番号「３１７−２２２−１２３４」を強調して、かつ選んだことがわかる。一旦所望の電話番号が選ばれると、信号がユーザ入力ターミナル１０（または、タッチスクリーンがインプリメントされている場合には表示装置１８）からプロセッサ１４に伝達され、選択された電話番号のダイヤルが開始される。ユーザは、また、ユーザ入力ターミナル１０を介して音声命令を行うことによって、電話の発信を開始できることにも留意すべきである。
【００２２】
ステップ２３０で、電話の発信が第１のネットワークか第２のネットワークを介してなされるかが特定される。例示的実施形態によれば、第１のネットワークはインターネットベースの電話網（例えばＳｋｙｐｅ（登録商標）または他のネットワーク）である。そして、第２のネットワークはＰＳＴＮである。なお、実際には、第１および第２のネットワークが他のネットワークであってもよい。プロセッサ１４は、第１のネットワークか第２のネットワークかに係るユーザ選択に基づいて、ステップ２３０において、決定をする。ユーザがステップ２２０で電話の発信を始める前に、又は、その後に、この選択がなされてもよい。
【００２３】
１つの例示的実施形態によれば、ユーザは、電話装置１００のユーザセットアッププロセスにおいて、第１のネットワークか第２のネットワークかを選ぶことによって、ステップ２２０で電話の発信を始める前に、選択を行ってもよい。この例示的実施形態においては、ユーザは、電話装置１００を介してされる全ての電話の発信に対して、第１のネットワークか第２のネットワークかを選ぶ。そして、このユーザ準備選択に対応するデータはメモリ１６に保存される。他の例示的実施形態によれば、ユーザは、ステップ２２０で電話の発信を開始させると直ちに選択を行い、かつ、このことにより第１のネットワーク、および、２のネットワークの選択を電話の発信毎に行う。
【００２４】
ユーザがステップ２２０で電話の発信を始める前に、又は、その後に、選択がなされるかに関係なく、選択自体はユーザインタフェース（例えば図４に示されるもの）によって容易にされてもよい。図４に示すように、ユーザは、参照番号４２によって表される第１のネットワーク（すなわちＳｋｙｐｅ（登録商標）ネットワーク）あるいは、参照番号４４によって表される第２のネットワーク（すなわち陸線（ｌａｎｄ  ｌｉｎｅ）またはＰＳＴＮネットワーク）を入力ターミナル１０（または、タッチスクリーンがインプリメントされている場合には表示装置１８）を、一つ以上の予め定められたキー（例えばアップ／ダウンキー、その他）を使用して強調し選択してもよい。上述のように、プロセッサ１４は、このことに基づいてステップ２３０でユーザ選択を特定してもよい。
【００２５】
ステップ２３０の判定において、第１のネットワークが電話の発信のために用いられることを示す場合、手順フローは、ステップ２４０へ進み、第１のネットワーク（例えばＳｋｙｐｅ（登録商標）ネットワークまたは他のインターネットベースのネットワーク）を介してダイヤル呼出しによってプロセッサ１４の管理によって電話の発信がなされる。第１のネットワークが電話の発信のために用いられる場合、第１のネットワークのためのサーバ（図示せず）に保存された電話番号がダイヤルされてもよい点に注意すべきである。
【００２６】
あるいは、ステップ２３０の判定が第２のネットワークの電話の発信であることを示す場合、手順フローはステップ２５０へ進む。ステップ２２０で選ばれた電話番号のためのダイヤル呼出しフォーマットが、プロセッサ１４のコントロール下でユーザによって選ばれる。例示的実施形態によれば、ユーザは、ステップ２５０で少なくとも３つの別のダイヤル呼出しフォーマットの中から選択する。図５においてそれぞれ、選択された電話番号の１１、１０、および、７桁バージョンは、これらの３つの異なるダイヤル呼出しフォーマットとして、参照番号５２、５４、および、５６のように示される。図５に示すように、参照番号５２によって表される選択された電話番号の１１桁バージョンは、市外局番「３１７」と番号「１」を含む。参照番号５４によって表される選択された電話番号の１０桁バージョンは、市外局番「３１７」を含むが、番号「１」を含まない。参照番号５６によって表される選択された電話番号の７桁バージョンは、番号「１」、および、市外局番「３１７」の両者を含まない。他の番号は、選択され保存された番号から持ってこられてもよく、同様に選択のリストに付加されてもよい。例えば、国コードおよび／またはアクセスコードは、ユーザ選択のために追加することができる。
【００２７】
図５のユーザインタフェースでは、ユーザは、単に選択された電話番号の３つの異なるバージョンの所望の一つを強調してもよい。そして、入力ターミナル１０（または、タッチスクリーンがインプリメントされている場合には表示装置１８）の一つ以上の予め定められたキー（例えば選択、ダイヤル、その他）を押下して、ステップ２５０で所望のダイヤル呼出しフォーマットを選んでもよい。例示的実施形態によれば、選択された電話番号にダイヤルするときにユーザが以前に市外局番を入力している場合、選択された電話番号の７桁バージョンはデフォルトとして強調されてもよい。なお、必要に応じて、ユーザは１０または１１桁バージョンをまた選んでもよい。
【００２８】
ステップ２５０でユーザがダイヤル呼出しフォーマットを選んだあと、手順フローはステップ２６０へ進む。電話装置１００は、ステップ２５０で選ばれたダイヤル呼出しフォーマットを使用してプロセッサ１４のコントロール下で第２のネットワーク（例えば陸線またはＰＳＴＮネットワーク）を介して選択された電話番号にダイヤルする。
【００２９】
保存された電話番号の番号が記載されているが、どれらは例示的なものである。それらは、ネットワーク端末（例えば電話、および、パソコン）を特定できるものであれば、いかなるアドレシング法であってもよい。例えば、番号がネットワークアドレスを表してもよい。そして、ネットワーク端末はパソコンであり、それぞれのネットワークアドレスによってアドレッシングされる。
【００３０】
本願明細書において記載されているように、本発明は、ユーザが、簡略的な方式によって、複数のネットワークで動作する電話装置によって電話をすることができる方法を提供する。好適な設計に基づいて本発明が記載されたが、本発明はこの開示の範囲および精神の内で更に修正されてもよい。本出願は、したがって、その一般則を用いた本発明のいかなるバリエーションの使用または改作もカバーすることを目的とする。更に、本願明細書は、当該技術において知られており、また、慣習的に実施されている事項に伴う変更であって添付の請求項の範囲に入るものをカバーすることを目的としている。
【図１】
2010516083.tif 000003
【図２】
2010516083.tif 000004
【図３】
2010516083.tif 000005
【図４】
2010516083.tif 000006
【図５】
2010516083.tif 000007
【国際調査報告】
2010516083.tif 000008
2010516083.tif 000009
2010516083.tif 000010